(57)【要約】【課題】映像出力系統の提供。【解決手段】映像取り込み装置から発生する目標映像データを受信した後アナログ映像データを出力する映像出力系統であり、位相比較器、映像同期信号発生器、ビデオエンコーダが含まれる。当該映像出力系統は、電源供給を受けて電圧比較器により転換されることによりディジタル信号を受信し、当該ディジタル信号を参考に、系統から発生した垂直同期信号に対してクロック周期および位相補償を行うものである。【選択図】図６
2007049666.tif 000002
【特許請求の範囲】
【請求項１】
映像取り込み装置から発生した目標映像データを受信後、アナログ映像データを出力し、
ディジタル信号と垂直同期信号を受信し、当該ディジタル信号と垂直同期信号のクロック周期と位相を比較し、修正クロック信号を発生させる位相比較器、
前述の修正クロック信号を受信し、前述の垂直同期信号を発生させて、当該修正クロック信号をベースに当該垂直同期信号のクロック周期を修正する映像同期信号発生器、
前述の垂直同期信号と前述の目標映像データを受信し、当該垂直同期信号と当該目標映像データに対して符号化を行い、アナログ映像データを出力するビデオエンコーダ、
を含み、そのうち、前述のディジタル信号はアナログ信号から変換されたものである映像出力系統。
【請求項２】
請求項１で述べられた映像出力系統において、前述のディジタル信号受信を受けて、当該ディジタル信号の移送を調整ならびに遅延させる位相調整器を含む映像出力系統。
【請求項３】
請求項１で述べられた映像出力系統において、前述のアナログ信号を受信、変換して、当該アナログ信号と周波数同期のディジタル信号を発生させ、当該アナログ信号が交流電源である電圧比較器を含む映像出力系統。
【請求項４】
請求項１で述べられた映像出力系統において、
前述の垂直同期信号を受信し、当該垂直同期信号をベースにビデオクロックデータを発生させるビデオタイミングジェネレータ、
前述のビデオクロックデータと目標映像データを受信し、当該ビデオクロックデータと当該目標映像データに対してルミナンス、クロマ、バースト処理を行い、映像同期の整合と符号化処理を行って、ディジタル映像データを発生させるルミナンス/クロマ/バースト同期信号発生器、
前述のディジタル映像データを受信して、前述のアナログ映像データを発生させるディジタル/アナログ変換器、を含むビデオエンコーダ。
【発明の詳細な説明】
【技術分野】
【０００１】
本発明は一種の映像処理系統であり、特に映像出力系統に関するものである。
【背景技術】
【０００２】
第１図に一般式の撮影監視系統を示す。当該撮影監視系統１０には四台の撮影装置１１１〜１１４、制御系統１２、モニター１３が含まれる。撮影監視系統１０は撮影装置１１１〜１１４がそれぞれ撮影した監視区域の映像を利用して、制御系統１２を通して四個の映像Ｏ１、Ｏ２、Ｏ３、Ｏ４に分けてモニター１３へと出力して監視の目的を達成するものである。
【０００３】
撮影装置１１１〜１１４は、第２図に示すように、それぞれが映像処理系統２０を含む。当該映像処理系統２０は映像出力系統２０'（点線部分）と映像取り込み装置（Ｉｍａｇｅ  ａｃｑｕｉｓｉｔｉｏｎ  ｄｅｖｉｃｅ）２３を含む。そのうち当該映像出力系統２０'は電圧比較器（Ｖｏｌｔａｇｅ  ｃｏｍｐａｒａｔｏｒ）２１、映像同期信号発生器（Ｉｍａｇｅ  ｓｙｎｃｈｒｏｎｏｕｓ  ｇｅｎｅｒａｔｏｒ）２２、ビデオエンコーダ（Ｖｉｄｅｏ  ｅｎｃｏｄｅｒ）２４、ＰＬＬ（Ｐｈａｓｅ  ｌｏｃｋ  ｌｏｏｐ）２５、タイミングジェネレータ（Ｔｉｍｉｎｇ  ｇｅｎｅｒａｔｏｒ）２６を含む。ここで、当該映像処理系統２０はPLL２５が交流電源１４と同期の出力クロック信号P１を映像同期信号発生器２２、映像取り込み装置２３まで送り、ビデオエンコーダ２４が一般ディジタル系統中のシステムクロックに取って代わり、映像同期信号発生器２２、映像取り込み装置２３、およびビデオエンコーダ２４の三者は電源同期となり、電源周波数がロックされる効果を達成することができることは注意されてよい。
【０００４】
当該映像処理系統２０中の映像出力系統２０'は交流電源１４を電圧比較器２１で変換後、デジタル信号V１を発生させる。ＰＬＬ２５はアナログ方式でディジタル信号V１を必要とされる周波数にまで上げ、出力クロック信号P１を発生させる。映像同期信号発生器２２が出力クロック信号Ｐ１を受けて垂直同期信号（ＶＳＹＮＣ，Ｖｅｒｔｉｃａｌ  Ｓｙｎｃｈｒｏｎｏｕｓ  ｓｉｇｎａｌ）を発生させる。その後、ＰＬＬ２５が垂直同期信号VSYNCを受信し、垂直同期信号ＶＳＹＮＣとディジタル信号Ｖ１とを比較し、出力クロック信号Ｐ１の周波数を調整する。よって、垂直同期信号ＶＳＹＮＣの周波数は電源同期の効果を達成することになる。そして、出力映像部分の映像取り込み装置２３は垂直同期信号ＶＳＹＮＣと出力クロック信号Ｐ１を受信し、取り込んだ映像を処理した後、目標映像データTを発生させる。その後、映像出力系統２０'中のビデオエンコーダ２４が出力クロック信号Ｐ１、目標映像データTおよびタイムジェネレータ２６から発生したクロック信号ＣＫを受信し、これらの信号Ｐ１、Ｔ、ＣＫに対して整合・符号化した後、アナログ映像データ０を作成する。
【０００５】
一般のアナログ方式で処理された撮影監視系統１０、その制御系統１２は、撮影装置１１１〜１１４が取り込んだ映像をモニター１３へと出力する方式であり、四個の映像は画面切換の方式で時を分けて同一モニター１３へと送られる。ただし、映像出力系統２０'のＰＬＬ２５は実際に運用されるに当たりノイズに弱く、電源のノイズが大きい場合には、出力クロック信号Ｐ１が電源周波数をロックするのが難しくなり、映像同期信号発生器２２、映像取り込み装置２３、ビデオエンコーダ２４に至るまで交流電源１４同期となることが困難になり、その結果、制御系統が画面切換を行うに当たり、画面表示に点滅や途切れ等の不良現象が現れる。第４図に示すように、１４Ｐは交流電源信号、 Ｏ１〜Ｏ４は撮影装置１１１〜１１４の画面が表示するアナログ映像データ、１３Ｏはモニター１３の画面表示信号である。ノイズが小さいときは、ＬＬＰ２５の出力クロック信号Ｐ１と交流電源１４の周波数は同期である。よって、アナログ映像データＯ１〜Ｏ４もまた交流電源信号１４Ｐと同期である。それゆえ、制御系統１２が画面を切り替えるに当たり、非常に正確な時間ｔ１に撮影装置１１１の画面Ｏ１'を表示し、時間ｔ２において撮影装置１１２の画面Ｏ２'を表示し、以下同様。しかし、電源ノイズが大きい場合には、ＬＬＰ２５ は交流電源１４をロックできず、アナログ映像データＯ１〜Ｏ４と交流電源信号１４Ｐの位相も同期はずれとなっており、その結果、制御系統１２が画面切換を行うに当たり、正確な時間に画面表示できなくなる（第５図参照）。この図において、アナログ映像データＯ１は時間ｔ１において交流電源信号１４Ｐの先を行き、アナログ映像データＯ２は時間ｔ２において交流電源信号１４Ｐに遅れており、画面Ｏ１'は時間に先駆けて表示、画面Ｏ２'は遅れて表示を余儀なくされ、制御系統１２がモニター１３の表示画面の切換を行うに当たり、画面の点滅や途切れ現象が現れる。
【０００６】
当該映像出力系統２０'には、ＬＬＰ２５のノイズへの弱さによりもう一つの問題がある。第３図を参照すると、当該ビデオエンコーダ２４にはビデオタイミングジェネレーター（Ｖｉｄｅｏ  ｔｉｍｉｎｇ  ｇｅｎｅｒａｔｏｒ）２４１、ルミナンス/同期信号発生器（Ｌｕｍｉｎａｎｃｅ／ｓｙｎｃｈｒｏｎｏｕｓ  ｓｉｎｇａｌ  ｇｅｎｅｒａｔｏｒ）２４２、二台のディジタル/アナログ変換器（Ｄｉｇｉｔａｌ／ａｎａｌｏｇ  ｃｏｎｖｅｒｔｅｒ）２４３、２４５、クロマ/バースト信号発生器（Ｃｈｒｏｍａ／ｂｕｒｓｔ  ｇｅｎｅｒａｔｏ）２４４が含まれる。クロマ/バースト信号発生器２４４が、彩度とバースト信号を処理するに当たり、非常に正確に（許容誤差範囲は非常に小さい）クロック信号と歩調を合わせる必要がある。しかしＬＬＰ２５がノイズに弱いため、出力クロック信号Ｐ１は出力されるに当たり安定さと正確さを欠くことになり、クロマ/バースト信号発生器２４４に高度に正確な（誤差範囲のごく小さな）クロック信号CK（たとえば、全米テレビジョン方式委員会（ＮＴＳＣ，Ｎａｔｉｏｎａｌ  Ｔｅｌｅｖｉｓｉｏｎ  Ｓｙｓｔｅｍ  Ｃｏｍｍｉｔｔｅｅ）では、クロマ/バースト信号処理に必要なクロック信号はCKは３.５７９５４５MHｚであり、その許容誤差はわずかに±５Hzである）を提供するには、映像出力系統２０'はタイミングジェネレータ２６を別途増設する必要がある。よって、ルミナンス/同期信号発生器２４２、クロマ/バースト信号発生器２４４は異なる規格のクロック信号ＣＫ、Ｐ１を受信し、異なる規格の信号が発生することになり、それゆえに二台のディジタル/アナログ変換機２４３、２４５を使って別々にディジタル/アナログ変換を行わなければならない。一般的にディジタル/アナログ変換機は高価であり、二台のディジタル/アナログ変換機を同時に使用すると、映像出力系統２０'のコストも大幅に増加する。
【０００７】
電源ノイズが大きいときに、いかにして電源周波数と同期の映像出力系統を提供し、撮影装置１１１〜１１４とモニター１３において画面切換時に発生する画面の点滅、途切れといった現象を解消するのか、ならびにいかにしてディジタル/アナログ変換機の原価を抑えるのかが、急を要する問題である。
【発明の開示】
【発明が解決しようとする課題】
【０００８】
上述の問題に関して、電源ノイズが大きい時に映像出力系統が電源周波数と同期を維持でき、画面切換時に発生する画面の点滅、途切れといった現象を解消して画面表示の品質を向上させるような映像出力系統を提供するのが本発明の目的である。
【０００９】
本発明が提供するのは、映像取り込み装置から発生する目標映像データを受信した後アナログ映像データを出力する映像出力系統である。当該映像出力系統には位相比較器、映像同期信号発生器、ビデオエンコーダが含まれる。当該位相比較器はデジタル信号と垂直同期信号を受信し、当該デジタル信号と垂直同期信号のクロック周期および位相を比較し、クロック修正信号を発生させる。映像同期信号発生器はクロック修正信号を受けるに当たり、垂直同期信号を用いて、当該クロック修正信号に依拠して映像同期信号発生器から発生する次の垂直同期信号のクロック周期を修正する。ビデオエンコーダは映像同期信号と目標映像データを受信し、当該映像同期信号と当該目標映像データに対して符号化を行い、アナログ映像データとして出力する。
【００１０】
本発明の映像出力系統はセンサー/ビデオ信号補償器（位相比較器、映像同期信号発生器を含む）を利用し、アナログ信号と周波数同期となるディジタル信号を参考に、映像同期信号発生器から発生する垂直同期信号に対してクロック周期と位相の補償を行う。その結果、当該垂直同期信号はごく小さな誤差の範囲内にまで制御され、アナログ信号は周波数同期を達成し、電源ノイズが大きい時においても映像出力系統は電源と周波数同期を達成できる。よって、本発明における映像出力系統を一般の撮影監視系統に応用するに当たり、従来の技術においてＰＬＬが電源の周波数同期をロックできなかったことにより、撮影監視系統における場面切替に当たり発生する画面の点滅、途切れといった問題の解決を達成するものであり、同時にディジタル/アナログ変換器の使用量を減少させて、製造コストを下げるものである。
【課題を解決するための手段】
【００１１】
請求項１の発明は、映像取り込み装置から発生した目標映像データを受信後、アナログ映像データを出力し、
ディジタル信号と垂直同期信号を受信し、当該ディジタル信号と垂直同期信号のクロック周期と位相を比較し、修正クロック信号を発生させる位相比較器、
前述の修正クロック信号を受信し、前述の垂直同期信号を発生させて、当該修正クロック信号をベースに当該垂直同期信号のクロック周期を修正する映像同期信号発生器、
前述の垂直同期信号と前述の目標映像データを受信し、当該垂直同期信号と当該目標映像データに対して符号化を行い、アナログ映像データを出力するビデオエンコーダ、
を含み、そのうち、前述のディジタル信号はアナログ信号から変換されたものである映像出力系統としている。
請求項２の発明は、請求項１で述べられた映像出力系統において、前述のディジタル信号受信を受けて、当該ディジタル信号の移送を調整ならびに遅延させる位相調整器を含む映像出力系統としている。
請求項３の発明は、請求項１で述べられた映像出力系統において、前述のアナログ信号を受信、変換して、当該アナログ信号と周波数同期のディジタル信号を発生させ、当該アナログ信号が交流電源である電圧比較器を含む映像出力系統としている。
請求項４の発明は、請求項１で述べられた映像出力系統において、
前述の垂直同期信号を受信し、当該垂直同期信号をベースにビデオクロックデータを発生させるビデオタイミングジェネレータ、
前述のビデオクロックデータと目標映像データを受信し、当該ビデオクロックデータと当該目標映像データに対してルミナンス、クロマ、バースト処理を行い、映像同期の整合と符号化処理を行って、ディジタル映像データを発生させるルミナンス/クロマ/バースト同期信号発生器、
前述のディジタル映像データを受信して、前述のアナログ映像データを発生させるディジタル/アナログ変換器、を含むビデオエンコーダとしている。
【発明の効果】
【００１２】
本発明の映像出力系統はセンサー/ビデオ信号補償器を利用し、アナログ信号と周波数同期となるディジタル信号を参考に、映像同期信号発生器から発生する垂直同期信号に対してクロック周期と位相の補償を行う。その結果、当該垂直同期信号はごく小さな誤差の範囲内にまで制御され、アナログ信号は周波数同期を達成し、電源ノイズが大きい時においても映像出力系統は電源と周波数同期を達成できる。よって、本発明における映像出力系統を一般の撮影監視系統に応用するに当たり、従来の技術においてＰＬＬが電源の周波数同期をロックできなかったことにより、撮影監視系統における場面切替に当たり発生する画面の点滅、途切れといった問題の解決を達成するものであり、同時にディジタル/アナログ変換器の使用量を減少させて、製造コストを下げるものである。
【発明を実施するための最良の形態】
【００１３】
以下、図面を参考にしながら本発明である映像出力系統の詳細説明を行うが、共通するユニットに関しては共通のコード番号を用いることとする。
【００１４】
第６図は本発明における映像処理系統を示している。当該映像処理系統５０には映像出力系統５０'と映像取り込み装置５３が含まれるが、映像処理系統５０の運用方式は、映像処理系統５０'を利用して映像取り込み装置５３から発生した目標映像データＴ'を受けて、当該目標映像データＴ'の符号化処理を行った後、アナログ映像データＯvを出力するものである。そして、当該映像出力系統５０'には電圧比較器５１、センサー/ビデオ信号補償器（Ｓｅｎｓｏｒ／Ｖｉｄｅｏ  ｐｅｒｉｏｄ  ｃｏｍｐｅｎｓａｔｉｏｎ  ｕｎｉｔ）５２、ビデオエンコーダ５４が含まれる。ここで、当該映像処理系統５０中のすべてのユニットは、一貫して最初の系統クロック信号を採用して運用され、この点で従来の映像処理系統２０とは異なっていることは注意されるべきである。よって、第６図においては各ユニットが受信する系統クロック信号は特に描かれていない。
【００１５】
映像出力系統５０'中の電圧比較器５１がアナログ信号Asを受信し、当該アナログ信号Asに対してアナログ/ディジタル変換を行い、当該アナログ信号Asと周波数同期のデジタル信号Vsを発生させる。電圧比較器５１は周知の技術であり、上述の機能が達成できるものであれば、すなわちアナログ/ディジタル変換器（Ａ／Ｄ，／Ａｎａｌｏｇ  ｔｏ  ｄｉｇｉｔａｌ  ｃｏｎｖｅｒｔｅｒ）等の機能があれば、すべて電圧比較器５１として使用できるので、詳細な実施方式は省く。もちろん、電圧比較器５１の中にノイズ消去機能を持つ回路、たとえばディジタルフィルター等を別途増加して、ディジタル信号Vsの品質を向上させることができ、しかもアナログ信号Asを交流電源とすることもできる。
【００１６】
センサー/ビデオ信号補償器５２はディジタル信号Vsを受信して垂直同期信号VSYNC'を発生させ、当該垂直同期信号ＶＳＹＮＣ’に対してクロック周期（Ｃｌｏｃｋ  ｃｙｃｌｅ）および位相補償を施し、垂直同期信号VSYNC'の周波数とその位相をディジタル信号Vsに合わせて同期ロックする。第７図に示すように、センサー/ビデオ信号補償器５２には位相比較器（Ｐｈａｓｅ  ｃｏｍｐａｒａｔｏｒ）５２２と同期信号発生器５２３が含まれる。当該位相比較器５２２はディジタル信号Vsおよび同期信号発生器５２３から発生する垂直同期信号ＶＳＹＮＣ’を受信して、ディジタル信号Ｖｓと垂直同期信号ＶＳＹＮＣ’両者のクロック周期と位相のずれを比較し、修正クロック信号Ｃｃを発生させる。同期信号発生器５２３は修正クロック信号Ｃｃを受信し、しかも当該同期信号発生器５２３は垂直同期信号ＶＳＹＮＣ’を発生させると同時に、修正クロック信号Ｃｃをベースにして次の垂直同期信号ＶＳＹＮＣ’のクロック周期の長さを修正する。このようにして、ディジタル信号Vsを参考に垂直同期信号ＶＳＹＮＣ’のクロック周期修正を繰り返し、垂直同期信号ＶＳＹＮＣ’をアナログ信号Ａｓ周波数に合わせて同期ロックすることが可能となる。たとえば、ある時点において垂直同期信号ＶＳＹＮＣ’の位相がアナログ信号Ａｓと周波数同期のディジタル信号Ｖｓの位相にクロック刻みで１００単位分遅延しているとして、位相比較器５２２による比較を経て、当該位相比較器５２２は修正クロック信号Ｃｃを発生させ、次のクロック周期において同期信号発生器５２３が垂直同期信号ＶＳＹＮＣ’のクロック周期の長さを１００単位分減少させて、垂直同期信号VSYNC'をアナログ信号Ａｓ周波数に合わせて同期ロックすることを可能とする。そのうち、当該センサー/ビデオ信号補償器５２は、第８図に示すようにディジタル信号Ｖｓの位相を調整する位相調整器（Ｐｈａｓｅ  ａｄｊｕｓｔｍｅｎｔ（Ｔｉｍｅ  ｄｅｌａｙ）ｕｎｉｔ）５２１を備えており、当該位相調整器５２１は、当該ディジタル信号Ｖｓのクロック周期を参考に、当該ディジタル信号Vsを設定された時点にまで遅延させる（すなわち、当該ディジタル信号Vsの位相調整）。当然、当該ディジタル信号Ｖｓは、ファームウェア（Ｆｉｒｍｗａｒｅ）、ソフトウェア（Ｓｏｆｔｗａｒｅ）またはハードウェア（Ｈａｒｄｗａｒｅ）の中の一つ或いは複数組合せの方式で当該ディジタル信号Vsの位相遅延を設定する。
【００１７】
映像入力部分である映像取り込み装置５３は垂直同期信号ＶＳＹＮＣ’を受信し、取り込まれた映像が処理されるのを待って、映像品質の良い目標映像データＴ'を作成する。
【００１８】
その後、映像出力系統５０'中のビデオエンコーダ５４が垂直同期信号ＶＳＹＮＣ’と目標映像データＴ'を受信し、垂直同期信号ＶＳＹＮＣ’をベースにして目標映像データＴ'の符号化を行い、アナログ映像データＯｖを作成する。第９図に示すように、当該ビデオエンコーダ５４にはビデオタイミングジェネレータ５４１、ルミナンス/クロマ/バースト同期信号発生器（Ｌｕｍｉｎａｎｃｅ／Ｃｈｒｏｍａ／ｂｕｒｓｔ／ｓｙｎｃｈｒｏｎｏｕｓ  ｓｉｇｎａｌ  ｇｅｎｅｒａｔｏｒ）５４２、ディジタル/アナログ変換器５４３が含まれる。当該ビデオタイミングジェネレータ５４１は垂直同期信号ＶＳＹＮＣ’を受信し、当該垂直同期信号ＶＳＹＮＣ’をベースにビデオクロックデータVを作成する。ルミナンス/クロマ/バースト同期信号発生器５４２はビデオクロックデータＶと目標映像データＴ'を受けて、彩度（Ｌｕｍｉｎａｎｃｅ）、クロマ（Ｃｈｒｏｍａ）、バースト（Ｂｕｒｓｔ）調整を行い、映像同期（Ｉｍａｇｅ  ｓｙｎｃｈｒｏｎｏｕｓ）のための整合と符合か処理を行い、ディジタル映像データＯｄを作成する。ディジタル/アナログ変換器５４３はディジタル映像データＯｄを受信・変換して、アナログ映像データＯｖを発生させる。そのうち、映像出力系統５０'におけるすべてのユニットは同一システムクロックを採用して運用されており、従来のＰＬＬ２５とタイミングジェネレータ２６を別途使用してビデオエンコーダ５４に対して二種類の異なるクロックを提供する必要はなく、よってビデオエンコーダ５４において周波数誤差範囲に対する要求が極めて高いクロマ/バースト信号処理（第３図におけるクロマ/バースト同期信号発生器２４４）に当たっても、ルミナンス同期信号処理（第３図のルミナンス同期信号発生器２４２）と同じシステムクロックを採用できることになる。そして周波数の異なるタイミングジェネレータ２６（第２図）を別途増設して正確なクロック信号CKを提供する必要はなくなり、ゆえに二台目のディジタル/アナログ変換器２４５（第３図）を追加する必要もない。これによって、ビデオエンコーダ５４において、第３図におけるルミナンス同期信号発生器２４２とクロマ/バースト同期信号発生器２４４を合併させ、一台のルミナンス/クロマ/バースト同期信号発生器５４２とすることも可能となり、当該ビデオエンコーダ５４は一台のディジタル/アナログ変換器５４３でディジタル/アナログ変換が可能となり、映像出力系統２０'のコストダウン機能を果たすことになる。
【００１９】
本発明の映像出力系統５０'と従来の映像出力系統２０'の差異は、当該映像出力系統５０'はセンサー/ビデオ信号補償器５２を利用して、アナログ信号Ａｓと周波数同期のディジタル信号Ｖｓを参考に、同期信号発生器５２３から発生する垂直同期信号ＶＳＹＮＣ’に対してクロック周期と位相補償を行い、その結果、当該垂直同期信号ＶＳＹＮＣ’を極小の誤差範囲内に収め、しかもアナログ信号Ａｓとの周波数同期と位相同期を達成させて、映像出力系統５０'における電源ノイズが大きいときに、電源周波数と同期を維持できる点にある。よってここに、当該映像出力系統５０'が第１図の撮影装置１１１〜１１４を適用し制御系統１２を採用して映像切換を行う場合には、映像出力系統５０'における電源ノイズが大きいときでも、電源との周波数同期と位相同期を維持できるので、撮影装置１１１〜１１４が撮影した映像はモニター１３上に正確に表示され、画面の点滅、途切れ等の現象がない。つまり、従来の映像出力系統２０'においてＰＰＬ２５が電源周波数をロックできないことから、撮影監視系統において画面切換を行うに当たり発生する問題を解決しており、同時にディジタル/アナログ変換器の使用台数を減少させて、製造コストを低減するものである。
【図面の簡単な説明】
【００２０】
【図１】従来の撮影監視系統表示図である。
【図２】従来の映像処理系統表示図である。
【図３】従来のビデオエンコーダ表示図である。
【図４】従来の撮影監視系統における信号伝達の時間領域グラフである。
【図５】従来の撮影監視系統における信号伝達の別の時間領域グラフである。
【図６】本発明の撮影監視系統表示図である。
【図７】本発明におけるセンサー/ビデオ信号補償器表示図である。
【図８】本発明における別のセンサー/ビデオ信号補償器表示図である。
【図９】本発明におけるビデオエンコーダ表示図である。
【符号の説明】
【００２１】
１０  撮影監視系統
２０、５０  映像処理系統
２０'、５０'  映像出力系統
１１１、１１２、１１３、１１４  撮影装置
１２  制御系統
１３  モニター
１４  交流電源
２１、５１  電圧比較器
２２、５２３  映像同期信号発生器
２３、５３  映像取り込み装置
２４、５４  ビデオエンコーダ
２４２  ルミナンス同期信号発生器
２４４  クロマ/バースト同期信号発生器
２５  ＰＬＬ
２６  タイミングジェネレータ
１４Ｐ、１１１Ｏ、１１２Ｏ、１１３Ｏ、１１４Ｏ、１３Ｏ  信号
２４１、５４１  ビデオタイミングジェネレータ
５４２  ルミナンス/クロマ/バースト同期信号発生器
２４３、２４５、５４３  ディジタル/アナログ変換器
５２  センサー/ビデオ信号補償器
５２２  位相比較器
５２１  位相調整器
【図１】
2007049666.tif 000003
【図２】
2007049666.tif 000004
【図３】
2007049666.tif 000005
【図４】
2007049666.tif 000006
【図５】
2007049666.tif 000007
【図６】
2007049666.tif 000008
【図７】
2007049666.tif 000009
【図８】
2007049666.tif 000010
【図９】
2007049666.tif 000011